(57)【特許請求の範囲】
【請求項１】
室内ユニットと室外ユニットとを配管接続する冷媒管および排気管を内包して室外壁に取り付けられる出口カバーを備えた空気調節装置において、
前記出口カバーのカバー本体に形成されたスリットが多数穿設されてなる格子部を取り除き、格子部を取り除くことにより形成された開口部に、支持枠と該支持枠に開閉回動自在に支持される開閉弁とからなる開閉弁装置を取り付け、該開閉弁を運転停止状態で自重により閉鎖し、運転時には排気管内に生じる排気圧により開弁するよう前記排気管の後端に取付けられることを特徴とする空気調節装置における排気管の開閉弁取り付け方法。
【請求項２】
出口カバーは、そのカバー本体に開口部を形成し、この開口部を覆うように排気カバーを着脱自在に装着されてなり、排気カバーを取り外した状態で格子部を取り除き、次に、開閉弁装置を取り付けることを特徴とする請求項１に記載の空気調節装置における排気管の開閉弁取り付け方法。
【請求項３】
室内ユニットと室外ユニットとを配管接続する冷媒管および排気管を内包して室外壁に取り付けられる出口カバーを備えた空気調節装置において、
前記出口カバーは、そのカバー本体に前記排気管からの排気を室外に排出するために、虫除け用のスリットが多数穿設されてなる格子部を有し、該格子部の周囲に格子部を取り除きやすくする凹状の切り込み溝が設けられ、該切り込み溝に沿って前記格子部を取り除くことにより形成された開口部に、前記格子部に代わり虫除け用の開閉弁装置が取り付け可能とされ、前記開閉弁装置は、その開閉弁が運転停止状態で自重により閉鎖し、運転時には排気管内に生じる排気圧により開弁するよう前記排気管の後端に取り付けられることを特徴とする空気調節装置。
【請求項４】
出口カバーは、冷媒管および排気管を内包するカバー本体と、該カバー本体に形成された前記開口部を覆い内部に排気路を構成する排気カバーとを備え、該排気カバーがカバー本体に対して着脱自在に取り付けられていることを特徴とする請求項３に記載の空気調節装置。
【請求項５】
出口カバーは、室外壁に対してカバー本体を垂直状態で取り付ける垂直姿勢と、水平状態で取り付ける水平姿勢とのいずれの姿勢でも取り付けできるように設定され、前記開閉弁装置が、その支持軸が水平状態となるよう、かつ排気管の管中心周りに９０度回転して取付できるように前記開口部に着脱自在に取り付けられたことを特徴とする請求項３又は４に記載の空気調節装置。
【請求項６】
前記排気管は、室内ユニットのフィルタ清掃装置の吸引ファンに接続されたことを特徴とする請求項３〜５のいずれかに記載の空気調節装置。
【発明の詳細な説明】
【技術分野】
【０００１】
本発明は、空気調和機、加湿機、除湿機、空気清浄機、暖房機等の空気調節装置に関し、特に、室外に導出される排気管の開閉弁取付方法に関するものである。
【背景技術】
【０００２】
従来の空気調和機には、室内の冷暖房機能の他に、室内を換気する換気機能を備えた空気調和機が知られている。特許文献１には、空気を吸引する換気ファン、および吸引した室内空気を室外に導いて排気する換気ホースとからなる換気装置を備えた空気調和機が開示されている。
【０００３】
この特許文献１に記載の空気調和機では、室内ユニットと室外ユニットとを連結する冷媒管および換気ホースなどを内包する出口カバーが室外壁に設けられ、配管の外観を良好なものとしている。出口カバー内には、換気ホースの後端部に分岐ボックスが設けられ、この分岐ボックス内に換気ホースの後端部を開閉する開閉弁装置が配設されている。
【特許文献１】特開２００３−２２２３６６
【発明の開示】
【発明が解決しようとする課題】
【０００４】
しかしながら、特許文献１では、出口カバーの内部に新たに分岐ボックスを配置し、その分岐ボックスの内部に開閉弁装置を組み込んでいるため、出口カバー内の狭い空間でしかも分岐ボックスといったさらに狭い空間に開閉弁装置を取り付けることになり、開閉弁装置並びに分岐ボックスの取付作業性が悪くなるといった難点があった。
【０００５】
本発明は、上記に鑑み、取付作業性を良好にし得る空気調節装置並びに排気管の開閉弁取り付け方法の提供を目的とする。
【課題を解決するための手段】
【０００６】
上記目的を達成するために、本発明は、室内ユニットと室外ユニットとを配管接続する冷媒管および排気管を内包して室外壁に取り付けられる出口カバーを備えた空気調節装置において、前記出口カバーのカバー本体に形成されたスリットが多数穿設されてなる格子部を取り除き、格子部を取り除くことにより形成された開口部に、支持枠と該支持枠に開閉回動自在に支持される開閉弁とからなる開閉弁装置を取り付け、該開閉弁を運転停止状態で自重により閉鎖し、運転時には排気管内に生じる排気圧により開弁するよう前記排気管の後端に密接させることを特徴とする。
【０００７】
空気浄化フィルタに付着した塵埃を空気の吸引力を利用して除去する吸引ファンと、吸引した塵埃を含む空気を排気するための排気管とを備えたフィルタ清掃装置を備えた空気調節装置において、排気管から排気される空気には塵埃が含んでいるため、出口カバー内に形成された虫除け用のスリットが多数穿設されてなる格子部が存在する場合、格子部に排気中の塵埃が付着し、格子部を閉塞するおそれがある。そのため、格子部に代わり、あるいは格子部の空気上流側に虫除け用の開閉弁装置が必要となる。
【０００８】
この開閉弁装置を出口カバーの部品として不要となった格子部に配置するため、格子部の周囲にカッターを入れて格子部を切除するか、あるいはドライバーなどで叩き割って格子部を取り除いて、その取り除いた開口部に開閉弁装置を取り付ける。
【０００９】
そうすると、従来のように、新たに分岐ボックスを設ける必要がなく、また、開閉弁装置も出口カバー内の比較的大きな空間部に設置することになり、取付作業性が良好なものとなる。
【００１０】
この場合、出口カバーのカバー本体に開口部を形成し、この開口部を覆うように排気カバーを着脱自在に取り付ける態様を採用すれば、排気カバーを取り外した状態で格子部を取り除き、次に、開閉弁装置を外側から取り付けることができ、取付作業性を向上させることができる。
【００１１】
また、本発明は、室内ユニットと室外ユニットとを配管接続する冷媒管および排気管を内包して室外壁に取り付けられる出口カバーを備えた空気調節装置において、前記出口カバーは、そのカバー本体に前記排気管からの排気を室外に排出するために、虫除け用のスリットが多数穿設されてなる格子部を有し、該格子部の周囲に格子部を取り除きやすくする凹状の切り込み溝が設けられ、該切り込み溝に沿って前記格子部を取り除くことにより形成された開口部に、前記格子部に代わり虫除け用の開閉弁装置が取り付け可能とされ、前記開閉弁装置は、その開閉弁が運転停止状態で自重により閉鎖し、運転時には排気管内に生じる排気圧により開弁するよう前記排気管の後端に取り付けられることを特徴とする。
【００１２】
上記構成によると、出口カバーに開閉弁装置を直接取り付けているので、従来のような分岐ボックスが不要となり、また、出口カバー内の比較的大きな空間部で開閉弁装置を設置することになり、取付作業性が向上する。
【００１３】
ここで、出口カバーは、冷媒管および排気管を内包するカバー本体と、該カバー本体に形成された開口部を覆い内部に排気路を構成する排気カバーとを備え、該排気カバーがカバー本体に対して着脱自在に取り付けられている。
【００１４】
この構成によると、排気カバーが着脱自在にカバー本体に取り付けられるので、開閉弁装置の取付作業も容易に行える。
【００１５】
また、出口カバーは、室外壁に対してカバー本体を垂直状態で取り付ける垂直姿勢と、水平状態で取り付ける水平姿勢とのいずれの姿勢でも取り付けできるように設定され、前記開閉弁装置が、その支持軸が常時水平状態となるよう、排気管の管中心周りに９０度回転して取付可能とされている。
【００１６】
上記構成によると、出口カバーを空気調節装置の室外ユニットの設置状況により縦置き又は横置きのいずれにも設定することができる。この際、開閉弁装置は、開閉弁が自重により閉じるには、その支持軸が常に水平姿勢を保つようにしなければならない。これを満足するには、開閉弁装置が９０度回転しても開口部に取り付けられるように設定する。そうすると、開閉弁装置は、出口カバーの縦置きおよび横置きの両方に対応することができる。
【００１７】
排気管は、特許文献１に示すように換気装置に接続されるものであってもよいが、室内ユニットのフィルタ清掃装置の吸引ファンに接続されるものが好適である。この構成によると、空気中の塵埃を除去するフィルタから空気の吸引力を利用して塵埃を除去する際、空気中に塵埃を含んでいたとしても開閉弁で塵埃が詰まることなく、排出することができる。
【発明の効果】
【００１８】
以上のとおり、本発明によると、出口カバーのカバー本体に形成された格子部を取り除いて、そこに形成された開口部に開閉弁装置を取り付け、開閉弁を運転停止状態で自重により閉鎖し、運転時には排気管内に生じる排気圧により開弁するよう前記排気管の後端に密接させているので、従来に比べて開閉弁装置の取付作業性も良好なものとなる。
【発明を実施するための最良の形態】
【００１９】
以下、本発明の実施形態を図面に基づいて説明する。本実施形態においては、空気調節装置として冷暖房機能をメイン機能とするセパレート型空気調和機の室内ユニットにフィルタ清掃装置を搭載し、その排気路に開閉弁装置を設けた例について説明する。
【００２０】
図１は本発明の実施形態である空気調和機の室内ユニットの斜視図、図２は室内ユニットのパネルを外した状態を示す斜視図、図３は出口カバーの開閉弁装置の装着前の状態を示す分解斜視図、図４は図３の側面断面図、図５は出口カバーの開閉弁装置の装着状態を示す分解斜視図、図６は図５の側面断面図である。
【００２１】
図に示すように、本実施形態の空気調節装置は、室内ユニット１の内部には、上部に形成された吸込口２と、下部に形成された吹出口３との間の通風路に吸込口２側を上流側として、フィルタ４、室内熱交換器および送風ファン（共に図示略）がこの順に配置され、また、フィルタ４を清掃するフィルタ清掃装置５が設けられている。
【００２２】
フィルタ清掃装置５は、フィルタ４を挟み込む表裏の除塵ボックス１０、１１と、吸引手段としての吸引ファン１２と、除塵ボックス１０，１１から吸引ファンに塵埃を含んだ空気を吸引する吸引路１４と、フィルタ４を除塵ボックスの長さ方向と直交する縦方向に往復移動させる移動手段１５とを備え、フィルタ４を縦方向に往復移動させつつ、このフィルタを横切る除塵ボックス１０，１１内の空気を吸引ファン１２により吸引することにより、フィルタ４に付着している塵埃を除去し、吸引ファン１２から排気管１６を経て隔壁１７から室外の出口カバー１８を通って室外に放出するようにしている。
【００２３】
出口カバー１８は、室内ユニット１の室内側熱交換器と室外ユニットの室外側熱交換器とを配管接続する冷媒管２０や、前記フィルタ清掃装置５の排気管１６、配線およびドレンホース等を通すように隔壁１７に形成された貫通穴２２の外側を覆うように取り付けられる。この出口カバー１８は、冷媒管２０、排気管１６などを内包する半筒状で側面視Ｌ字形に形成されたカバー本体２３と、該カバー本体よりも室外壁側に配されカバー本体２３を室外壁に取り付けるための前カバー２４と、カバー本体２３のコーナー部で排気管１６の延長線上に形成された開口部２５に着脱自在に取り付けられる開閉弁装置２６と、その開口部２５を覆い内部に排気路２７を構成する排気カバー２８とを備え、排気カバー２８がカバー本体２３に対してネジにより着脱自在に取り付けられている。
【００２４】
開口部２５には、図３および図４に示すように、虫除け用のスリット２９が多数穿設されてなる格子部３０が形成されている。この格子部３０に排気管１６の後端を接触させておくと、排気中の塵埃が付着し、格子部３０を閉塞するおそれがある。そのため、格子部３０に代わり虫除け用の開閉弁装置２６が必要となる。
【００２５】
この開閉弁装置２６は、格子部３０の周囲にカッターを入れて格子部３０を切除するか、あるいはドライバーなどで叩き割って格子部３０を取り除き、その取り除いた開口部２５に開閉弁装置２６を取り付けるようにする。図４において、格子部３０の周囲に凹状の切り込み溝３１を形成しておき、格子部３０を取り除きやすくしてもよい。
【００２６】
開閉弁装置２６は、開口部２５の口部周壁に嵌合されネジ止めされる支持枠３３と、該支持枠３３に上端が支持軸３４周りに開閉回動自在に支持される開閉弁３５とから構成される。
【００２７】
開口部２５は、略正方形に形成され、その各辺の中央部分にネジ止め穴３６が形成されている。このネジ止め穴３６を用いて開閉弁装置２６が排気カバー２８と共にネジ止め固定される。
【００２８】
支持枠３３は、正方形の枠状に形成され、その各辺の中央部がネジを貫通可能に切り込み凹部３７が形成され、排気管１６の管中心周りに９０度回転しても取付できるようになっている。そのため、図７に示すように、出口カバー１８を９０度回転させて横置き姿勢で使用する場合でも開閉弁装置２６を９０度回転させて、常時支持軸３４が水平状態となるように設定することができる。なお、支持枠３３には、開閉弁装置の取付方向を示す標識４１が設けられる。
【００２９】
開閉弁３５は、上端が支持軸３４周りに回動自在に軸支され、フィルタ清掃装置５の運転停止状態で自重により閉鎖し、フィルタ清掃装置５の運転時には排気管１６内に生じる排気圧により開弁するよう支持枠３３に支持されている。この開閉弁３５の室内側には排気管１６の後端が接触している。
【００３０】
上記構成において、フィルタ清掃装置５の排気管１６を出口カバー１８に内包するとき、排気管１６から排気される空気には塵埃を含んでいるため、図３に示すように、出口カバー１８内に形成された虫除け用のスリット２９が多数穿設されてなる格子部３０が存在する場合、格子部３０に排気中の塵埃が付着し、格子部３０を閉塞するおそれがある。そのため、格子部３０の周囲にカッターを入れて格子部３０を切除するなどして取り除き、その取り除いた開口部２５に開閉弁装置２６を取り付ける。そうすると、開閉弁装置２６も出口カバー１８内の比較的大きな空間部に設置することができ、取付作業性が良好なものとなる。
【００３１】
この場合、出口カバー１８のカバー本体２３に開口部２５を覆う排気カバー２８がカバー本体２３に対して着脱自在に取り付けられているため、排気カバー２８を取り外した状態で格子部３０を取り除き、次に、開閉弁装置２６を外側から取り付ける。そして、排気カバー２８をカバー本体２３にネジ止めなどにより固定すれば、その取付作業性が大幅に向上する。
【００３２】
このとき、開閉弁装置２６は、開閉弁３５をフィルタ清掃装置５の運転停止状態で自重により閉鎖し、運転時には排気管１６内に生じる排気圧により開弁するように設定しているので、室外から排気管１６を通して室内に虫が侵入するのを防止することができる。
【００３３】
また、図７に示すように、室外壁に対してカバー本体２３を水平姿勢にしたとき、開閉弁装置２６は、その支持軸３４を常時水平状態となるよう、開口部２５に対して９０度回転して取付可能となっている。
【００３４】
そのため、出口カバー１８を室外ユニットの設置状況により縦置き又は横置きのいずれにも設定することができ、この際、開閉弁装置２６が出口カバー１８の縦置きおよび横置きの両方に対応することができる。
【００３５】
なお、上記実施形態においては、吸引ファン１２の上流側に大きな塵埃を除去する格子状のフィルタを設けてもよく、これにより、大きなゴミを除去し、細かい塵埃のみを開閉弁装置２６から室外に排出するようにしてもよい。
【図面の簡単な説明】
【００３６】
【図１】本発明の実施形態である空気調和機の室内ユニットの斜視図
【図２】室内ユニットのパネルを外した状態を示す斜視図
【図３】出口カバーの開閉弁装置の装着前の状態を示す分解斜視時図
【図４】図３の側面断面図
【図５】出口カバーの開閉弁装置の装着状態を示す分解斜視図
【図６】図５の側面断面図
【図７】出口カバーの横置き状態を示す分解斜視図
【符号の説明】
【００３７】
１    室内ユニット
２    吸込口
３    吹出口
４    フィルタ
５    フィルタ清掃装置
１０，１１    除塵ボックス
１２    吸引ファン
１４    吸引路
１５    移動手段
１６    排気管
１７    隔壁
１８    出口カバー
２０    冷媒管
２２    貫通穴
２３    カバー本体
２４    前カバー
２５    開口部
２６    開閉弁装置
２７    排気路
２８    排気カバー
２９    スリット
３０    格子部
３１    切り込み溝
３３    支持枠
３４    支持軸
３５    開閉弁
３６    ネジ止め穴
３７    凹部
【図１】
0004481933.tif 000002
【図２】
0004481933.tif 000003
【図３】
0004481933.tif 000004
【図４】
0004481933.tif 000005
【図５】
0004481933.tif 000006
【図６】
0004481933.tif 000007
【図７】
0004481933.tif 000008